(57)【要約】【課題】薬剤用包装材、薬剤包装体、ＲＦＩＤ読み取り装置および薬剤管理システムに関し、薬の服用量の誤検知をなくすことを目的とする。【解決手段】薬剤用包装材１１は、薬剤１４を収納する複数の収納部１２と、複数の収納部１２それぞれを破断する破断部１３と、破断部１３それぞれに印刷で回路部を形成したＲＦＩＤタグ２０とを備え、回路部は、タグ情報を記憶保持するタグ回路部と、このタグ回路部に電気的に接続され無線信号を受信するタグアンテナ部とを有している。これにより、収納部１２を破断するとＲＦＩＤタグ２０の回路部も破壊される。【選択図】図３
2010035789.tif 000002
【特許請求の範囲】
【請求項１】
薬剤を収納する複数の収納部と、
前記複数の収納部それぞれを破断する破断部と、
前記破断部それぞれに印刷で回路部を形成したＲＦＩＤタグとを備え、
前記回路部は、
タグ情報を記憶保持するタグ回路部と、
このタグ回路部に電気的に接続され無線信号を受信するタグアンテナ部とを有していることを特徴とする薬剤用包装材。
【請求項２】
前記回路部は、有機高分子で形成されていることを特徴とする請求項１に記載の薬剤用包装材。
【請求項３】
前記回路部は、破断可能な印刷基材に印刷され、前記印刷基材の印刷面が前記破断部に接着されていることを特徴とする請求項１または請求項２に記載の薬剤用包装材。
【請求項４】
前記破断部は、少なくとも前記タグ回路部を破断するように形成されていることを特徴とする請求項１から請求項３のいずれか１項に記載の薬剤用包装材。
【請求項５】
前記破断部は、
前記回路部の印刷領域に所定の間隔で孔部列を有し、この孔部列に沿って破断できることを特徴とする請求項１から請求項４のいずれか１項に記載の薬剤用包装材。
【請求項６】
基材に形成されるとともに薬剤を収納する破断可能な複数の収納部と、
前記複数の収納部それぞれに印刷で回路部を形成したＲＦＩＤタグとを備え、
前記回路部は、
タグ情報を記憶保持するタグ回路部と、
このタグ回路部に電気的に接続され無線信号を受信するタグアンテナ部とを有していることを特徴とする薬剤用包装材。
【請求項７】
前記回路部の印刷領域が、前記収納部より大きいことを特徴とする請求項６に記載の薬剤用包装材。
【請求項８】
請求項１から請求項７のいずれか１項に記載の薬剤用包装材の前記収納部に薬剤を収納したことを特徴とする薬剤包装体。
【請求項９】
請求項１から請求項７のいずれか１項に記載の薬剤用包装材に備えられた複数の前記ＲＦＩＤタグを読み取るリーダライタと、
前記リーダライタにより読み取り可能な前記ＲＦＩＤタグの数と服用前の薬剤の数とに基づいて薬剤の服用量を監視する制御部とを備えていることを特徴とするＲＦＩＤ読み取り装置。
【請求項１０】
請求項９に記載のＲＦＩＤ読み取り装置と、
前記ＲＦＩＤ読み取り装置と回線を介して接続された管理装置とを備え、前記ＲＦＩＤ読み取り装置は前記薬剤を服用した数の差が大きい場合に前記管理装置に異常を通知することを特徴とする薬剤管理システム。
【発明の詳細な説明】
【技術分野】
【０００１】
本発明は、薬剤用包装材、薬剤包装体、ＲＦＩＤ読み取り装置および薬剤管理システムに関する。
【背景技術】
【０００２】
近年、薬剤の服用において患者を支援するための薬剤管理システムが提案されている。この薬剤管理システムには、ＲＦＩＤ（Ｒａｄｉｏ  Ｆｒｅｑｕｅｎｃｙ  ＩＤｅｎｔｉｆｉｃａｔｉｏｎ）タグが用いられている。薬剤管理システムは、ＲＦＩＤタグとＲＦＩＤタグからの情報を読み取るリーダライタとを備えている。ＲＦＩＤタグは、格子状に配置された複数のセルを有する薬剤用パッケージに１つ実装されていた。各セルは、破断可能壁およびこの破断可能壁に設けられた切断可能導線によって密閉されている。ＲＦＩＤタグは、切断可能導線の断線を検知してセルに穴があいたことを検知し、このことから各セルに入っている薬がどのくらい使用されたかを監視していた。薬剤管理システムには、ＲＦＩＤタグが監視して得た監視情報をリーダライタで読み取り、薬の服用管理をしていた（例えば、特許文献１を参照）。
【特許文献１】特表２００５−５３９３００号公報
【発明の開示】
【発明が解決しようとする課題】
【０００３】
従来の薬剤管理システムに用いられる薬剤用パッケージは、各セルに切断可能導線を配置し、１つのＲＦＩＤタグにその切断可能導線をすべて接続する必要があった。そこで、セルの数に応じて切断可能導線の配線を行ってＲＦＩＤタグに接続するようにしていた。しかしながら、セルごとパッケージの基材から切り離されるとセルに配線された線も断線される。このため、穴があいていない未服用のセルであっても、服用したと検知され、薬の服用量を誤検知するといった課題があった。そこで、本発明は、薬剤を収納した収納部をパッケージの基材から切り離す場合であっても、薬の服用量を誤検知しないようにすることを目的とする。
【課題を解決するための手段】
【０００４】
この目的を達成するために本発明の薬剤用包装材は、薬剤を収納する複数の収納部と、複数の収納部それぞれを破断する破断部と、破断部それぞれに印刷で回路部を形成したＲＦＩＤタグとを備え、回路部は、タグ情報を記憶保持するタグ回路部と、このタグ回路部に電気的に接続され無線信号を受信するタグアンテナ部とを有していることを特徴とする。この構成により、初期の目的を達成するものである。
【０００５】
また、本発明の薬剤用包装材は、基材に形成されるとともに薬剤を収納する破断可能な複数の収納部と、複数の収納部それぞれに印刷で回路部を形成したＲＦＩＤタグとを備え、回路部は、タグ情報を記憶保持するタグ回路部と、このタグ回路部に電気的に接続され無線信号を受信するタグアンテナ部とを有していることを特徴とする。この構成により、初期の目的を達成するものである。
【０００６】
また、本発明の薬剤包装体は、上記した薬剤用包装材の収納部に薬剤を収納したことを特徴とする。この構成により、初期の目的を達成するものである。
【０００７】
また、本発明のＲＦＩＤ読み取り装置は、上記した薬剤用包装材に備えられた複数のＲＦＩＤタグを読み取るリーダライタと、リーダライタにより読み取り可能なＲＦＩＤタグの数と服用前の薬剤の数とに基づいて薬剤の服用量を監視する制御部とを備えていることを特徴とする。この構成により、初期の目的を達成するものである。
【０００８】
また、本発明の薬剤管理システムは、上記したＲＦＩＤ読み取り装置と、ＲＦＩＤ読み取り装置と回線を介して接続された管理装置とを備え、ＲＦＩＤ読み取り装置は薬剤を服用した数の差が大きい場合に管理装置に異常を通知することを特徴とする。この構成により、初期の目的を達成するものである。
【発明の効果】
【０００９】
以上のように本発明の薬剤用包装材は、薬剤を収納する複数の収納部と、複数の収納部それぞれを破断する破断部と、破断部それぞれに印刷で回路部を形成したＲＦＩＤタグとを備えているので、各収納部が破断部により破断されると各ＲＦＩＤタグの回路部も破壊され、ＲＦＩＤタグが応答しなくなるので薬剤が使用されたことを検知できる。これにより、薬剤を収納している収納部ごとに薬剤の服用量を検知することが可能となるので、薬剤の服用量の誤検知をなくすことができる。
【００１０】
また、本発明の薬剤用包装材は、基材に形成されるとともに薬剤を収納する破断可能な複数の収納部と、複数の収納部それぞれに印刷で回路部を形成したＲＦＩＤタグとを備えているので、各収納部が破断されると各ＲＦＩＤタグの回路部も破壊され、ＲＦＩＤタグが応答しなくなるので薬剤が使用されたことを検知できる。これにより、薬剤を収納している収納部ごとに薬剤の服用量を検知することが可能となるので、薬剤の服用量の誤検知をなくすことができる。
【００１１】
また、本発明の薬剤包装体は、上記した薬剤用包装材の収納部に薬剤を収納したので、各収納部が破断されると各ＲＦＩＤタグの回路部も破壊され、ＲＦＩＤタグが応答しなくなるので薬剤が使用されたことを検知できる。
【００１２】
また、本発明のＲＦＩＤ読み取り装置は、上記した薬剤用包装材に備えられた複数のＲＦＩＤタグを読み取るリーダライタと、リーダライタにより読み取り可能なＲＦＩＤタグの数と服用前の薬剤の数とに基づいて薬剤の服用量を監視する制御部とを備えているので、薬剤の服用量を検知することができる。これにより、ＲＦＩＤ読み取り装置は、薬剤の服用量に異常があれば患者に警告するなどして、患者に服用の誤りを知らせることもできる。
【００１３】
また、本発明の薬剤管理システムは、上記したＲＦＩＤ読み取り装置と、ＲＦＩＤ読み取り装置と回線を介して接続された管理装置とを備え、ＲＦＩＤ読み取り装置は薬剤を服用した数の差が大きい場合に管理装置に異常を通知するので、職員などが患者の病室にいなくても、薬剤の服用量の異常を監視することができる。
【発明を実施するための最良の形態】
【００１４】
以下、本発明の実施の形態について図面を用いて詳細に説明する。
【００１５】
（実施の形態１）
まず、図１〜図７を参照しながら、本発明の実施の形態１における薬剤管理システムついて説明する。
【００１６】
図１は本発明の実施の形態１における薬剤管理システム１の概略構成図、図２は本発明の実施の形態１におけるＲＦＩＤ読み取り装置４の構成図、図３は本発明の実施の形態１における薬剤用包装材１１の構成を示すものであり、（ａ）は薬剤用包装材１１の正面図、（ｂ）は薬剤用包装材１１の背面図、図４は薬剤用包装材１１の部分拡大背面図、図５は図４のＡ−Ａ線による断面図、図６は図４のＡ−Ａ線による他の例を示す分離断面図、図７は本発明の実施の形態１における薬剤管理システム１の構成を示すブロック図である。
【００１７】
ここでは、図１に示すように、病院において病室２で患者６が薬袋５に入っている薬の服用量を管理する場合の例について説明する。
【００１８】
薬剤管理システム１は、薬袋５に入っている粉薬や錠剤などの薬剤の服用量を検知するためのＲＦＩＤタグを読み取るＲＦＩＤ読み取り装置４と、ＲＦＩＤ読み取り装置４と回線９を介して電気的に接続されている管理装置７とを備えている。
【００１９】
ＲＦＩＤ読み取り装置４は、例えば、病室２の寝台１０の横に設置されている。患者６は、所定の時間間隔で薬を服用した後、残りの薬剤を薬袋５に戻してＲＦＩＤ読み取り装置４の薬剤台の上に置いておく。なお、薬剤は薬剤用包装材の中に入っているので、薬剤用包装材をそのまま薬剤台に置いてもよい。
【００２０】
管理装置７は、例えば、ナースステーション３に設置されている。看護士や薬剤師などの職員８は、管理装置７により、患者６が服用した薬剤の量を監視することができる。
【００２１】
管理装置７には、患者６に処方された薬剤に関する情報があらかじめ登録されている。例えば、薬剤の種類や数量などである。また、管理装置７にはこの薬剤情報とあらかじめ患者６に付与した識別情報（以下「ＩＤ情報」ともいう）とがデータベース（図示せず）に登録されている。また、患者６に処方した薬の処方箋に従って飲むべき時間情報も登録されている。管理装置７に登録された登録情報（患者６のＩＤ情報、種類情報、数量情報、時間情報）は、回線９を介してＲＦＩＤ読み取り装置４に設定される。
【００２２】
次に、図２を参照しながら、本実施の形態のＲＦＩＤ読み取り装置４の構成について説明する。
【００２３】
図２に示すように、ＲＦＩＤ読み取り装置４は、薬袋５や薬剤用包装材１１などを置くための薬剤台４ａと、薬袋５や薬剤用包装材１１などが落下しないようにするための落下防止部４ｂと、薬剤台４ａの内側に設置されているアンテナ３１と、アンテナ３１を介してＲＦＩＤタグ２０を読み取るリーダライタ３０と、液晶表示装置などで構成される表示部３７と、スイッチで構成される入力部３８と、スピーカで構成される報知部３９とを備えている。
【００２４】
ＲＦＩＤ読み取り装置４は、薬剤台４ａの上に置かれている薬剤用包装材１１を所定の間隔で監視する。例えば、１０分ごとにリーダライタ３０がアンテナ３１を介してＲＦＩＤタグ２０を読み取る。薬を収納している薬剤用包装材１１には、ＲＦＩＤタグ２０が装着されている。
【００２５】
リーダライタ３０は、回線９を介して管理装置７から取得した登録情報に基づいて、患者６が服用すべき薬の服用量を制御部３４により管理する。リーダライタ３０は、内部に備えている時刻管理部に従って、患者６が服用すべき薬剤の服用量と薬剤台４ａの上に置かれている薬剤用包装材１１に残っている薬剤の残量とを比較する。そして、リーダライタ３０は、服用すべき薬剤の服用量が指定されている処方箋と異なる服用がなされている場合（服用量が少ないまたは多い場合）には、報知部３９からアラームなどの音により警告を行う。また、同時に、不足または過多な薬剤の種類や数量などの警告内容を表示部３７で表示する。患者６は、警告の理由を確認した後、入力部３８のスイッチを操作して、警告音などを止める。
【００２６】
また、リーダライタ３０は、警告動作が発生したときには、回線９を介して管理装置７に警告した内容を通知する。これにより、管理装置７は警告した内容を表示部で表示するなどして職員８に警告内容を伝える。このように、看護士などの職員８はナースステーション３にいながら、病室２で服用されている薬剤が適切に飲まれているか否かを監視することができる。
【００２７】
このように、職員８は患者６と異なる場所で薬剤の服用を監視できるため、ＲＦＩＤ読み取り装置４で服用すべき薬剤の服用量をも正確に検知することができる。
【００２８】
従来の薬剤用パッケージは、薬剤が収納されるセルのすべてに切断可能導線を配置し、１つのＲＦＩＤタグにその切断可能導線をすべて接続していた。これにより、薬剤の服用量を１個単位で正確に検知するようにしていた。しかしながら、セルごとパッケージの基材から切り離された場合、セルに配線された導線が断線される。このため、まだ穴があいていない未服用のセルであっても、服用したものと検知され、薬の服用量を誤検知するといった問題があった。
【００２９】
そこで本実施の形態では、薬剤用包装材１１は薬剤を収納する複数の収納部と、複数の収納部それぞれを破断する破断部と、破断部それぞれに印刷で回路部を形成したＲＦＩＤタグとを備えるようにした。
【００３０】
これにより、各収納部が破断されると各ＲＦＩＤタグも破壊され、ＲＦＩＤタグが応答しなくなるので薬剤が使用されたことを検知することができる。このように、薬剤を収納している収納部を破断部で破断して薬剤を服用するようにしたため、破断されず未服用の収納部も検知することができ、誤検知をなくすことができる。
【００３１】
次に、図３〜図５を参照しながら、本実施の形態における薬剤用包装材１１の構成について説明する。
【００３２】
図３（ａ）および図３（ｂ）に示すように、薬剤用包装材１１は、薬剤１４を収納する複数の収納部１２を有し、収納部１２は、正面側の基材１１ａと背面側の基材１１ｂと一体化された空間部に形成されている。また、基材１１ａ、１１ｂには、各収納部１２を破断するための破断部１３がそれぞれ設けられている。また、基材１１ａ、１１ｂには、服用すべき順番を示すマーク２２が印刷されている。患者６は、このマーク２２の順番に従って薬剤１４を服用する。これによって、薬剤１４の服用量をわかりやすくし、患者６が服用量を誤りにくくしている。そして、図３（ｂ）に示すように、背面側の基材１１ｂの各破断部１３に印刷で回路部を形成したＲＦＩＤタグ２０が装着されている。このような構造により、患者６は、マーク２２の順番に従って破断部１３を破断し、収納部１２を破断させることにより薬剤１４を取り出すことができる。
【００３３】
図４に示すように、ＲＦＩＤタグ２０の回路部２１は印刷領域１７に印刷されている。回路部２１は、タグ情報を記憶保持するタグ回路部１５とこのタグ回路部１５に電気的に接続され無線信号を受信するタグアンテナ部１６とを有している。
【００３４】
また、破断部１３は、少なくともタグ回路部１５を破断するように形成されている。破断部１３は、回路部２１の印刷領域１７を横断する所定の間隔の孔部列を有し、この孔部列に沿って破断できるようにしている。これにより、薬剤用包装材１１の収納部１２が破断されたときに、ＲＦＩＤタグ２０の処理機能をすべて破壊し、応答しないようにすることができる。
【００３５】
回路部２１は、図５に示すように、基材１１ｂの印刷面１７ａに印刷により形成されている。また、収納部１２は、基材１１ａと基材１１ｂとを接着剤などで貼り合わせることにより構成される空間部に形成されている。この収納部１２に薬剤１４を収納する。薬剤１４としては、錠剤でも粉薬でも収納部１２に収納することができる。基材１１ａと基材１１ｂは紙や薄いフィルムなどで形成されている。なお、薬剤１４が湿気などの影響を受けないように、基材１１ａ、１１ｂの表面に樹脂などの保護層を設けてもよい。
【００３６】
回路部２１を、例えば公知の有機高分子で形成する。この場合、回路部２１の製造方法として、塗布製膜による薄膜層を作成すればよいことから、インクジェットや輪転機などの印刷プロセスを利用することができる。このような印刷プロセスでタグ回路部１５の有機薄膜トランジスタなどの回路を形成することができ、基材１１ｂの印刷面１７ａに回路部２１を印刷することができる。また、タグアンテナ部１６は、導電インクにより形成する。
【００３７】
このようにＲＦＩＤタグ２０は安価に製造することができることから、各破断部１３に設けるようにしてもコストは高くならない。また、基材１１ｂに薬の名前などのラベルを印刷するときに、一緒に回路部２１を形成することも可能となる。
【００３８】
なお、変形例として、図６に示すように、破断しやすいように薄く、四角形状をした破断可能な印刷基材１８の印刷面１８ａに回路部２１を印刷によって形成してもよい。この場合には、印刷基材１８の印刷面１８ａを破断部１３に接着する。これらのように構成することにより、回路部２１を破断可能にするとともに印刷基材１８により回路部２１を保護することができる。印刷基材１８は、例えば、紙で形成されている。また、印刷基材１８を基材１１ａの破断部１３に接着するようにしてもよい。これによっても、同様の効果を奏する。
【００３９】
次に、図１および図７を参照しながら、薬剤管理システム１の構成および動作について説明する。
【００４０】
図１および図７に示すように、職員８は、患者６に対して薬剤１４を渡す際に、管理装置７に患者６に渡す薬剤１４を登録する。この登録では、薬剤１４を収納している薬剤用包装材１１に装着されているＲＦＩＤタグ２０を読み取り、薬剤の種類や数量を取得する。そして、管理装置７に取得した薬剤情報を表示部７ｄで確認するとともに、入力部７ｅにより、あらかじめ患者６に付与したＩＤ情報とともにデータベース７ｆに登録する。また、患者６に処方した薬剤の処方箋に従って飲むべき時間情報を入力部７ｅから登録する。このように管理装置７に登録された登録情報（患者６のＩＤ情報、種類情報、数量情報、時間情報）は、制御部７ｂ、通信部７ａ、回線９を介してＲＦＩＤ読み取り装置４に送信される。
【００４１】
ＲＦＩＤ読み取り装置４は、薬剤用包装材１１に備えられた複数のＲＦＩＤタグ２０のタグ情報をアンテナ３１を介してリーダライタ３０で読み取る。アンテナ３１は、パッチ型アンテナやダイポール型アンテナを使用し、薬剤用包装材１１に向けられている。
【００４２】
リーダライタ３０は、アンテナ３１を介してＲＦＩＤタグ２０との交信信号（質問信号、応答信号）を送受信する無線部３２と、入力部３８の操作情報を入力するとともに無線部３２を制御する制御部３４と、タグ情報、管理装置７の登録情報などを記憶するメモリ部３３と、管理装置７と回線９を介して通信するための通信部３５と、時間情報を出力する時刻管理部３６とを備えている。
【００４３】
ＲＦＩＤ読み取り装置４は、管理装置７から薬剤１４に係る登録情報を取得し、メモリ部３３に記憶する。そして、ＲＦＩＤ読み取り装置４は、制御部３４により、メモリ部３３に記憶した登録情報と時刻管理部３６の時刻情報とに基づいて、薬剤１４の監視を行う。監視間隔は、例えば、薬剤１４の危険度が高ければ１０分、危険度が低ければ６０分の時間間隔に設定される。
【００４４】
ＲＦＩＤ読み取り装置４は、時刻管理部３６からの時刻情報に基づいて制御部３４により、無線部３２、アンテナ３１を介して、ＲＦＩＤタグ２０に、例えば、「識別番号を返答せよ」という質問信号を送信する。これにより、ＲＦＩＤタグ２０は、「識別番号」を応答信号として返信する。例えば、図３（ａ）において、服用前であれば、ＲＦＩＤタグ２０ａは「１番の識別番号」を返信する。同様に、ＲＦＩＤタグ２０ｂは「２番の識別番号」、ＲＦＩＤタグ２０ｃは「３番の識別番号」、ＲＦＩＤタグ２０ｄは「４番の識別番号」を返信する。
【００４５】
無線部３２は、アンテナ３１を介して、ＲＦＩＤタグ２０からの応答信号をアンテナ３１を介して受信し、復調してタグ情報を取得する。そして、無線部３２は、この取得したタグ情報を制御部３４に出力する。
【００４６】
制御部３４は、ＲＦＩＤタグ２０から取得した複数のタグ情報をメモリ部３３に一時記憶する。そして、制御部３４は、メモリ部３３から取得できたタグ情報（識別番号などの固有の識別情報、薬剤の種類、製造日など）をすべて読み出し、異なる識別番号の数をカウントする。これにより、薬剤１４の服用量を検知することができる。すなわち、患者６が薬剤１４を服用するときに、収納部１２を破断部１３により破断する。このときに、ＲＦＩＤタグ２０の回路部２１も破壊されるため、破断された破断部１３にあるＲＦＩＤタグ２０が応答しなくなる。制御部３４は、登録情報にある服用前の薬剤１４の数と、服用後にＲＦＩＤタグ２０の応答により得た固有の識別情報の数との差を算出することにより、薬剤１４の服用量を得ることができる。例えば、図３（ａ）のＲＦＩＤタグ２０から「３番の識別番号」と「４番の識別番号」とが取得されたとすると、固有の識別情報の数は「２」となる。もし、登録情報にある服用前の薬剤１４の数が「４」であれば、服用量は「２」となる。
【００４７】
制御部３４は、登録情報と検知して得た薬剤１４の服用量とに基づいて、異常があれば表示部３７または報知部３９を介して患者６に警告を発する。制御部３４は、例えば、服用量の差が「２」以上の場合は異常と判断する。これにより、患者６は薬剤１４の服用に誤りがあることを知ることができる。そして、ＲＦＩＤ読み取り装置４は、通信部３５、回線９を介して管理装置７に警報内容を通知するので、職員８が病室２にいなくても、薬剤１４の服用量の異常を監視することができる。
【００４８】
以上のように実施の形態１の薬剤管理システム１によれば、薬剤用包装材１１に備えられた複数のＲＦＩＤタグ２０を読み取るリーダライタ３０と、リーダライタ３０により読み取り可能なＲＦＩＤタグ２０の数を検知して薬剤の服用量を監視する制御部３４とを有しているＲＦＩＤ読み取り装置４を備えているので、各収納部１２が破断部１３により切り離されると各ＲＦＩＤタグ２０の回路部２１も破壊され、ＲＦＩＤタグ２０が応答しなくなるので薬剤１４が使用されたことを検知することができる。これにより、収納部１２ごとに薬剤１４の服用量を検知することができる。ＲＦＩＤ読み取り装置４は、薬剤１４の服用量に異常があれば表示部３７または報知部３９を介して患者６に警告を発する。これにより、患者６は薬剤１４の服用に誤りがあることを知ることができる。そして、ＲＦＩＤ読み取り装置４は、管理装置７に警報内容を通知するので、職員８が病室２にいなくても、薬剤１４の服用量の異常を監視することができる。
【００４９】
また、本実施の形態の薬剤用包装材１１は、薬剤１４を収納する複数の収納部１２と、収納部１２それぞれを破断するための破断部１３と、破断部１３それぞれに印刷で回路部２１を形成したＲＦＩＤタグ２０とを備えているので、各収納部１２が破断部１３により破断されると各ＲＦＩＤタグ２０の回路部２１も破壊され、ＲＦＩＤタグ２０が応答しなくなるので薬剤１４が使用されたことを検知することができる。これにより、薬剤１４を収納している収納部１２ごとに薬剤１４の服用量を検知することが可能となるので、薬剤の服用量の検知誤りをなくすことができる。また、未服用の収納部１２も検知することができる。
【００５０】
また、本実施の形態の薬剤包装体は、薬剤用包装材１１の収納部１２に薬剤１４を収納しているので、各収納部１２が破断部１３により破断されると各ＲＦＩＤタグ２０の回路部２１も破壊され、ＲＦＩＤタグ２０が応答しなくなるので薬剤１４が使用されたことを検知することができる。これにより、薬剤１４を収納している収納部１２ごとに薬剤１４の服用量を検知することが可能となるので、薬剤１４の服用量の誤検知を少なくして提供することができるようになる。また、未服用の収納部１２も検知することができる。
【００５１】
なお、管理装置７が、図７に示す制御部７ｂにより、時刻管理部７ｃから出力される時刻情報と、データベース７ｆに登録されている登録情報と基づいて、薬剤１４の管理を直接に行うようにしてもよい。すなわち、管理装置７が回線９を介してＲＦＩＤ読み取り装置４でＲＦＩＤタグ２０の読み取りを実行させ、薬剤１４の監視を行うようにしてもよい。
【００５２】
（実施の形態２）
次に、図８〜図１１を参照しながら、本発明の実施の形態２について説明する。
【００５３】
図８は本発明の実施の形態２における薬剤用包装材４０の正面図、図９は薬剤用包装材４０の部分拡大背面図、図１０は図９のＢ−Ｂ線による断面図、図１１は図９のＢ−Ｂ線による他の例の分離断面図である。なお、実施の形態１の構成と同構成の箇所には同一符号を付するのみとし、その詳細な説明は省略する。
【００５４】
実施の形態１では、薬剤用包装材１１の破断部１３に印刷で回路部２１を形成したＲＦＩＤタグ２０を設けた。
【００５５】
本実施の形態では、図８に示すように、正面側の基材４０ａと背面側の基材４０ｂとから構成される薬剤用包装材４０に破断可能な複数の収納部１９を形成し、薬剤１４を収納する。そして、複数の収納部１９それぞれに印刷で回路部２１を形成したＲＦＩＤタグ２０を備えるようにした点で異なる。
【００５６】
薬剤１４は、破断部１３ａ、１３ｂにより、薬剤用包装材４０から収納部１９ごと切り離すことができる。患者６は、薬剤用包装材４０から収納部１９を破断部１３ａまたは破断部１３ｂにより切り離した後で、収納部１９を破断して薬剤１４を取り出す。
【００５７】
また、図９に示すように、背面側の基材４０ｂにある回路部２１の印刷領域４０ｃの大きさを収納部１９の大きさより大きくしている。これにより、患者６が薬剤１４を取り出すために収納部１９を破断すると、ＲＦＩＤタグ２０も破断される。
【００５８】
図１０に示すように、回路部２１は、背面側の基材４０ｂの印刷領域４０ｃに印刷により形成されている。また、収納部１９は、正面側の基材４０ａと背面側の基材４０ｂとを接着剤などで貼り合わせることにより構成される空間部に形成されている。この収納部１９に薬剤１４を収納する。薬剤１４は、錠剤でも粉でも収納部１９に収納することができる。また、回路部２１を、印刷領域４０ｃに対応する正面側の基材４０ａに印刷により形成してもよい。これによっても、同様の効果を奏する。
【００５９】
なお、変形例として、図１１に示すように、薄く、四角形状をした破断可能な印刷基材１８の印刷面１８ａに回路部２１を印刷によって形成し、この印刷基材１８の印刷面１８ａを収納部１９のある位置に配置するとともに背面側の基材４０ｂに接着剤などにより接着するようにしてもよい。また、印刷基材１８を正面側の基材４０ａに接着するようにしてもよい。これによっても、同様の効果を奏する。印刷基材１８は、例えば、紙で形成されている。
【００６０】
以上のように実施の形態２によれば、薬剤用包装材４０は、基材４０ａと基材４０ｂとにより構成されるとともに薬剤１４を収納する破断可能な複数の収納部１９と、複数の収納部１９それぞれに印刷で回路部２１を形成したＲＦＩＤタグ２０とを備えているので、各収納部１９が破断されると各ＲＦＩＤタグ２０の回路部２１も破壊され、ＲＦＩＤタグ２０が応答しなくなるので薬剤１４が使用されたことを検知できる。これにより、薬剤１４を収納している収納部１９ごとに薬剤１４の服用量を検知することが可能となるので、薬剤１４の服用量の検知誤りをなくすことができる。
【００６１】
また、回路部２１の印刷領域４０ｃの大きさを、収納部１９の大きさより大きくしている。これにより、患者６が薬剤１４を取り出すために収納部１９を破断すると、確実にＲＦＩＤタグ２０も破断することができる。
【産業上の利用可能性】
【００６２】
以上のように本発明によれば、薬剤が収納されている収納部ごとに薬剤の服用量を検知することが可能となるので、薬剤の服用量の検知誤りをなくすことが可能な薬剤用包装材、薬剤包装体、薬剤管理システム、ＲＦＩＤ読み取り装置などに有用である。
【図面の簡単な説明】
【００６３】
【図１】本発明の実施の形態１における薬剤管理システムの概略構成図
【図２】本発明の実施の形態１におけるＲＦＩＤ読み取り装置の構成図
【図３】（ａ）は本発明の実施の形態１における薬剤用包装材の正面図、（ｂ）は同薬剤用包装材の背面図
【図４】同薬剤用包装材の部分拡大背面図
【図５】図４のＡ−Ａ線による断面図
【図６】図４のＡ−Ａ線による他の例を示す分離断面図
【図７】本発明の実施の形態１における薬剤管理システムの構成を示すブロック図
【図８】本発明の実施の形態２における薬剤用包装材の正面図
【図９】同薬剤用包装材の部分拡大背面図
【図１０】図９のＢ−Ｂ線による断面図
【図１１】図９のＢ−Ｂ線による他の例の分離断面図
【符号の説明】
【００６４】
１    薬剤管理システム
２    病室
３    ナースステーション
４    ＲＦＩＤ読み取り装置
４ａ    薬剤台
４ｂ    落下防止部
５    薬袋
６    患者
７    管理装置
７ａ，３５    通信部
７ｂ，３４    制御部
７ｃ，３６    時刻管理部
７ｄ，３７    表示部
７ｅ，３８    入力部
７ｆ    データベース
８    職員
９    回線
１０    寝台
１１，４０    薬剤用包装材
１１ａ，１１ｂ，４０ａ，４０ｂ    基材
１２，１９    収納部
１３，１３ａ，１３ｂ    破断部
１４    薬剤
１５    タグ回路部
１６    タグアンテナ部
１７，４０ｃ    印刷領域
１８    印刷基材
１７ａ，１８ａ    印刷面
２０，２０ａ，２０ｂ，２０ｃ，２０ｄ    ＲＦＩＤタグ
２１    回路部
２２    マーク
３０    リーダライタ
３１    アンテナ
３２    無線部
３３    メモリ部
３９    報知部
【図１】
2010035789.tif 000003
【図２】
2010035789.tif 000004
【図３】
2010035789.tif 000005
【図４】
2010035789.tif 000006
【図５】
2010035789.tif 000007
【図６】
2010035789.tif 000008
【図７】
2010035789.tif 000009
【図８】
2010035789.tif 000010
【図９】
2010035789.tif 000011
【図１０】
2010035789.tif 000012
【図１１】
2010035789.tif 000013